(57)【要約】【課題】無線通信機能を具備する検知式照明装置を提供する。【解決手段】本発明に係る検知式照明装置は、制御回路及び前記制御回路に電気的に接続されるランプセットから構成される照明本体と、前記照明本体に設置されると共に前記制御回路に電気的に接続される検知素子と、前記照明本体に設置されると共に前記制御回路に電気的に接続される電磁波無線通信モジュールと、を備える事を特徴とする。【選択図】図１
2014505977.tif 000002
【特許請求の範囲】
【請求項１】
制御回路及び前記制御回路に電気的に接続されるランプセットから構成される照明本体と、
前記照明本体に設置されると共に前記制御回路に電気的に接続される検知素子と、
前記照明本体に設置されると共に前記制御回路に電気的に接続される電磁波無線通信モジュールと、を備える事を特徴とする検知式照明装置。
【請求項２】
検知式ＬＥＤ電球、検知式ＬＥＤ蛍光灯、検知式シーリングランプまたは検知式花壇用灯具を含む検知式灯具、或いは、噴霧用の検知式工作灯または加湿可能の検知式工作灯を含む検知式工作灯の内の少なくとも何れか１つとして構成される事を特徴とする、請求項１に記載の検知式照明装置。
【請求項３】
前記検知式ＬＥＤ電球は電球本体を備える前記照明本体であり、前記電球本体は更に口金部、電球ケース、ＬＥＤランプセット、及びランプシェードを少なくとも備え、前記口金部は前記電球ケースの一端に設置され、前記ＬＥＤランプセット及び前記ランプシェードは共に前記電球ケースの前記一端に対応する他端に設置され、前記ランプシェードは前記ＬＥＤランプセットに覆設される事を特徴とする、請求項２に記載の検知式照明装置。
【請求項４】
前記電球ケースは放熱構造に形成され、前記放熱構造の内部には前記一端及び前記他端を接続させる装設用の貫通孔が開設され、前記制御回路の少なくとも一部の部材を納置させ、前記放熱構造の外側壁には放熱用のフィンが設置され、前記口金部は前記放熱構造の前記一端部に設置され、前記ＬＥＤランプセット及び前記ランプシェードは共に前記放熱構造の前記他端に設置される事を特徴とする、請求項３に記載の検知式照明装置。
【請求項５】
前記ランプシェードは立方形シェード、円柱形シェード、球形シェードの内の少なくとも何れか一つである事を特徴とする、請求項３または４に記載の検知式照明装置。
【請求項６】
前記検知式ＬＥＤ蛍光灯は前記照明本体である蛍光灯本体を備え、前記蛍光灯本体は更に接続端、開放式丸型蛍光灯ケース、ＬＥＤランプセット、及び蛍光灯シェードを少なくとも備え、前記接続端は前記開放式丸型蛍光灯ケースの両端に設置され、前記ＬＥＤランプセット及び前記蛍光灯シェードは共に前記開放式丸型蛍光灯ケースの開口部に結合され、前記蛍光灯シェードは前記ＬＥＤランプセットに覆設される事を特徴とする、請求項２に記載の検知式照明装置。
【請求項７】
前記開放式丸型蛍光灯ケースは開放式丸型放熱構造に形成され、前記開放式丸型放熱構造の外側壁には放熱用のフィンが設置され、前記接続端は前記開放式丸型放熱構造の両端に設置され、前記ＬＥＤランプセット及び前記蛍光灯シェードは共に前記開放式丸型放熱構造の開口部に結合される事を特徴とする、請求項６に記載の検知式照明装置。
【請求項８】
前記蛍光灯シェードは少なくとも１つのＰＣＶ蛍光灯シェードであり、前記開放式丸型蛍光灯ケースに結合されて閉環状の蛍光灯本体となる事を特徴とする、請求項６または７に記載の検知式照明装置。
【請求項９】
前記検知式照明装置が前記検知式シーリングランプ、前記検知式花壇用灯具、前記噴霧用の検知式工作灯、或いは前記加湿可能の検知式工作灯の内の少なくとも何れか一つである場合、前記ランプセットは複数のＬＥＤダイスからなるＬＥＤランプセット、タングステンランプセット、ないしは蛍光灯セットである事を特徴とする、請求項２に記載の検知式照明装置。
【請求項１０】
前記ＬＥＤランプセットは複数のＬＥＤダイスからなるＬＥＤランプセットであり、これら前記ＬＥＤダイスの各ダイスの色温度、明度、或いは彩度は全て完全に同じであるか、少なくとも一部のダイスの色温度、明度、或いは彩度が他の部分のダイスとは異なる事を特徴とする、請求項３、請求項６、或いは請求項９の何れかに記載の検知式照明装置。
【請求項１１】
前記検知素子は受動式赤外線人体検知素子かマイクロ波検知素子である事を特徴とする、請求項１〜１０の何れかに記載の検知式照明装置。
【請求項１２】
前記電磁波無線通信モジュールは不可視光波長範囲の電磁波無線通信モジュールであり、前記電磁波無線通信モジュールは３１３．３２５ＭＨｚの無線通信モジュール、４３３ＭＨｚの無線通信モジュール、４１８ＭＨｚの無線通信モジュール、２．４ＧＨｚの無線通信モジュール、５．８ＧＨｚの無線通信モジュール、１０ＧＨｚの無線通信モジュール、ブルートゥース無線通信モジュール、Ｗｉ―Ｆｉ無線通信モジュール、近接場型の通信無線通信モジュール、Ｚ―Ｗａｖｅ無線通信モジュール、ＺｉｇＢｅｅ無線通信モジュールの内の少なくとも何れか１つである事を特徴とする、請求項１〜１１の何れかに記載の検知式照明装置。
【請求項１３】
前記照明本体に設置される音楽プレーヤー装置、安全監視装置、音声制御スイッチ及び／或いは光コントロールスイッチの少なくとも一つを更に備え、前記音楽プレーヤー装置、前記安全監視装置、前記音声制御スイッチ、或いは前記光コントロールスイッチは前記制御回路に電気的に接続される事を特徴とする、請求項１〜１２の何れかに記載の検知式照明装置。
【請求項１４】
屋外の検知式照明装置に応用される場合、前記検知式照明装置は更に太陽光電池を少なくとも備え、前記太陽光電池は前記制御回路に電気的に接続される事を特徴とする、請求項１〜１３の何れかに記載の検知式照明装置。
【請求項１５】
第一ランプセット、第一検知素子、第一電磁波無線通信モジュール、及び前記第一ランプセット、前記第一検知素子、及び前記第一電磁波無線通信モジュールに電気的に接続される第一制御回路から構成される第一照明装置と、
第二ランプセット、第二電磁波無線通信モジュール、及び前記第二ランプセット、及び前記第二電磁波無線通信モジュールに電気的に接続される第二制御回路から構成される二照明装置と、を備え、
前記第一検知素子の環境検知結果に基づいて、前記第一電磁波無線通信モジュールと第二電磁波無線通信モジュールとの間に通信チャンネルを確立させ、前記第一ランプセット及び／或いは前記第二ランプセットの明暗機能を制御させる事を特徴とする検知式照明群体。
【請求項１６】
前記第一照明装置は主制御機能を有する照明装置であり、前記第二照明装置は被制御機能を有する照明装置であり、前記第一照明装置は前記環境検知結果に基づいて前記第一ランプセットの明暗機能を能動的に制御し、前記第二照明装置は前記第一照明装置からの制御命令に応じて前記第二ランプセットの明暗機能を受動的に制御する事を特徴とする、請求項１５に記載の検知式照明群体。
【請求項１７】
前記第二照明装置は、前記環境検知結果に基き前記第一電磁波無線通信モジュールと第二電磁波無線通信モジュールとの間に前記通信チャンネルを確立させて、前記第一ランプセット及び／或いは前記第二ランプセットの明暗機能を制御させる第二検知素子を更に備える事を特徴とする、請求項１５ないしは請求項１６に記載の検知式照明群体。
【請求項１８】
前記第一照明装置及び前記第二照明装置は共に主制御機能及び被制御機能を兼ね備える照明装置であり、これら前記照明装置の間では照明制御プロセスに基づく前記第一ランプセット及び／或いは前記第二ランプセットの明暗機能の制御が自動的に実行される事を特徴とする、請求項１７に記載の検知式照明群体。
【請求項１９】
前記第一検知素子及び第二検知素子の何れか一つは、受動式赤外線人体検知素子かマイクロ波検知素子の内の何れかである事を特徴とする、請求項１７ないしは請求項１８に記載の検知式照明群体。
【請求項２０】
前記第一照明装置及び前記第二照明装置の何れか一つは、検知式ＬＥＤ電球、検知式ＬＥＤ蛍光灯、検知式灯具、検知式工作灯の内の少なくとも何れか一つであり、前記検知式灯具は検知式シーリングランプか検知式花壇用灯具の何れかであり、前記検知式工作灯は噴霧用の検知式工作灯か加湿可能の検知式工作灯の何れかである事を特徴とする、請求項１７〜１９の何れかに記載の検知式照明群体。
【請求項２１】
前記第一電磁波無線通信モジュール及び前記第二電磁波無線通信モジュールの何れか一つは不可視光波長範囲の電磁波無線通信モジュールであり、電磁波無線通信モジュールは３１３．３２５ＭＨｚの無線通信モジュール、４３３ＭＨｚの無線通信モジュール、４１８ＭＨｚの無線通信モジュール、２．４ＧＨｚの無線通信モジュール、５．８ＧＨｚの無線通信モジュール、１０ＧＨｚの無線通信モジュール、ブルートゥース無線通信モジュール、Ｗｉ―Ｆｉ無線通信モジュール、近接場型の通信無線通信モジュール、Ｚ―Ｗａｖｅ無線通信モジュール、或いはＺｉｇＢｅｅ無線通信モジュールの内の少なくとも何れか一つである事を特徴とする、請求項１５〜２０の何れかに記載の検知式照明群体。
【請求項２２】
前記第一照明装置及び前記第二照明装置の内の少なくとも何れか１つは、前記第一照明装置及び前記第二照明装置の内の少なくとも何れか１つに設置される音楽プレーヤー装置、安全監視装置、光コントロールスイッチ、音声制御スイッチ及び／或いは太陽光電池の内の何れか１つを更に備える事を特徴とする、請求項１５〜２１の何れかに記載の検知式照明群体。
【請求項２３】
第一ランプセット、第一検知素子、第一電磁波無線通信モジュール、及び前記第一ランプセット、前記第一検知素子、及び前記第一電磁波無線通信モジュールに電気的に接続される第一制御回路で構成される第一照明装置を提供するステップと、
第二ランプセット、第二電磁波無線通信モジュール、及び前記第二ランプセット及び前記第二電磁波無線通信モジュールに電気的に接続される第二制御回路で構成される第二照明装置を提供するステップと、
前記第一検知素子の環境検知結果に基き前記第一電磁波無線通信モジュールを駆動させて前記第二電磁波無線通信モジュールとの間に通信チャンネルを確立させ、前記第一ランプセット及び／或いは前記第二ランプセットの明暗機能を制御させるステップと、を含む事を特徴とする検知式照明群体に用いられる制御方法。
【請求項２４】
前記第一照明装置は主制御機能を少なくとも有する照明装置であり、前記第二照明装置は被制御機能を少なくとも有する照明装置であり、前記第一照明装置は前記環境検知結果に基き前記第一ランプセットの明暗機能を能動的に制御させ、前記第二照明装置は前記第一照明装置からの制御命令に応じ前記第二ランプセットの明暗機能を能動的に制御させる事を特徴とする、請求項２３に記載の検知式照明群体に用いられる制御方法。
【請求項２５】
前記第二照明装置は、前記環境検知結果に基き前記第一電磁波無線通信モジュールと第二電磁波無線通信モジュールとの間に前記通信チャンネルを確立させて前記第一ランプセット及び／或いは前記第二ランプセットの明暗機能を制御させる第二検知素子を更に備える事を特徴とする、請求項２３ないしは請求項２４に記載の検知式照明群体に用いられる制御方法。
【請求項２６】
前記第一照明装置及び前記第二照明装置は共に主制御機能及び被制御機能を兼ね備える照明装置であり、これら前記照明装置の間では照明制御プロセスに基づいて、前記第一ランプセット及び／或いは前記第二ランプセットの明暗機能の制御が自動的に実行される事を特徴とする、請求項２５に記載の検知式照明群体に用いられる制御方法。
【請求項２７】
前記第一検知素子及び第二検知素子の内の何れか一つは、受動式赤外線人体検知素子かマイクロ波検知素子の何れかである事を特徴とする、請求項２５に記載の検知式照明群体に用いられる制御方法。
【請求項２８】
前記第一照明装置及び前記第二照明装置の何れか一つは、検知式ＬＥＤ電球、検知式ＬＥＤ蛍光灯、検知式灯具、検知式工作灯の内の何れか一つであり、前記検知式灯具は少なくとも検知式シーリングランプか検知式花壇用灯具の内の何れかであり、前記検知式工作灯は噴霧用の検知式工作灯か加湿可能の検知式工作灯の内の何れかである事を特徴とする、請求項２５に記載の検知式照明群体に用いられる制御方法。
【請求項２９】
前記第一電磁波無線通信モジュール及び前記第二電磁波無線通信モジュールの何れか一つは不可視光波長範囲の電磁波無線通信モジュールであり、前記電磁波無線通信モジュールの内の何れか１つは３１３．３２５ＭＨｚの無線通信モジュール、４３３ＭＨｚの無線通信モジュール、４１８ＭＨｚの無線通信モジュール、２．４ＧＨｚの無線通信モジュール、５．８ＧＨｚの無線通信モジュール、１０ＧＨｚの無線通信モジュール、ブルートゥース無線通信モジュール、Ｗｉ―Ｆｉ無線通信モジュール、近接場型の通信無線通信モジュール、Ｚ―Ｗａｖｅ無線通信モジュール、ＺｉｇＢｅｅ無線通信モジュールの内の少なくとも何れか一つである事を特徴とする、請求項２３〜２８の何れかに記載の検知式照明群体に用いられる制御方法。
【請求項３０】
前記第一照明装置及び前記第二照明装置の内の何れか１つは、前記第一照明装置及び前記第二照明装置の内の何れか１つに設置される音楽プレーヤー装置、安全監視装置、光コントロールスイッチ、音声制御スイッチ及び／或いは太陽光電池の何れか１つを更に備える事を特徴とする、請求項２３〜２９の何れかに記載の検知式照明群体に用いられる制御方法。
【発明の詳細な説明】
【技術分野】
【０００１】
本発明は、検知式照明技術分野に関し、より詳しくは無線通信機能を具備する検知式照明装置、検知式照明群体及びそれに用いられる制御方法に関する。
【背景技術】
【０００２】
従来、照明用の灯具は車両、作業台、通路、オフィス、一般家庭、道路、庭、公共施設等室内外を問わずに広く使用されており、生活を大いに向上させている。通常、照明装置は、電球、蛍光灯、灯具（例えば、シーリングランプや花壇用灯具）や工作灯（例えば、加湿可能な工作灯や噴霧用の工作灯）を少なくとも含み、そこで使用される光源には、タングステン電球、蛍光灯、または環境保護と省エネを両立させるＬＥＤライト等がある。
【０００３】
更なる省電力性能が求められる照明装置においては、例えば人の移動を検知させる赤外線人感センサー（ＰＩＲ）や、反応速度が早く敏感なマイクロ波（Ｍｉｃｒｏｗａｖｅ）検知素子等が付加されており、検知素子を有する検知式照明装置は、自動検知による照明の制御を実現させ、省電力化の目的を達成させている。
【発明の概要】
【発明が解決しようとする課題】
【０００４】
しかしながら、前述した従来の技術では、単一型式（或いは独立型式）の検知式照明装置は、初期設置費用が高いため大量には採用できず、他の検知式照明装置と組み合わせる場合でも照明が互いに干渉したり相性が悪かったり等のマイナス要素があり、使用上不便であった。また、同一の空間内に設置される複数の検知式照明装置の照明を精密にバランスよく制御させるには、現在の独立式の検知制御機構を同調させねばならず、困難が伴った。
【０００５】
当然ながら、もし検知式照明装置に照明以外の制御機能を付加させる場合、それぞれが独立して制御されているため、集合体での制御は不可能であるか、設置費用を大幅に増やす必要があった。
【０００６】
そこで、本発明者は上記の欠点が改善可能と考え、鋭意検討を重ねた結果、合理的かつ効果的に課題を改善する本発明の提案に到った。
【０００７】
本発明は、このような従来の問題に鑑みてなされたものである。上記課題解決のため、本発明は、無線通信機能を具備する検知式照明装置を提供することを主目的とする。
【０００８】
また、本発明の他の目的の一つは、無線通信機能を具備する検知式照明無線電通信機能を具備する検知式照明群を提供する。
【０００９】
なお、本発明の他の目的の一つは、無線通信技術により検知式照明群の間に無線の制御を達成する方法を提供する。
【課題を解決するための手段】
【００１０】
上述した課題を解決し、目的を達成するために、本発明に係る検知式照明装置は、制御回路及び前記制御回路に電気的に接続されるランプセットから構成される照明本体と、前記照明本体に設置されると共に前記制御回路に電気的に接続される検知素子と、前記照明本体に設置されると共に前記制御回路に電気的に接続される電磁波無線通信モジュールと、を備えることを特徴とする。
【００１１】
好ましくは、前記検知式照明装置は検知式ＬＥＤ電球、検知式ＬＥＤ蛍光灯、検知式シーリングランプまたは検知式花壇用灯具を含む検知式灯具、或いは、噴霧用の検知式工作灯または加湿可能の検知式工作灯を含む検知式工作灯の内の少なくとも何れか１つとして構成されることを特徴とする。
【００１２】
好ましくは、前記検知式ＬＥＤ電球は、電球本体を備える前記照明本体であり、前記電球本体は更に口金部、電球ケース、ＬＥＤランプセット、及びランプシェードを少なくとも備え、前記口金部は前記電球ケースの一端に設置され、前記ＬＥＤランプセット及び前記ランプシェードは共に前記電球ケースの前記一端に対応する他端に設置され、前記ランプシェードは前記ＬＥＤランプセットに覆設されることを特徴とする。
【００１３】
好ましくは、前記電球ケースは放熱構造に形成され、前記放熱構造の内部には前記一端及び前記他端を接続させる装設用の貫通孔が開設され、前記制御回路の少なくとも一部の部材を納置させ、前記放熱構造の外側壁には放熱用のフィンが設置され、前記口金部は前記放熱構造の前記一端部に設置され、前記ＬＥＤランプセット及び前記ランプシェードは共に前記放熱構造の前記他端に設置されることを特徴とする。
【００１４】
好ましくは、前記ランプシェードは立方形シェード、円柱形シェード、球形シェードの内の少なくとも何れか一つであることを特徴とする。
【００１５】
好ましくは、前記検知式ＬＥＤ蛍光灯は前記照明本体である蛍光灯本体を備え、前記蛍光灯本体は更に接続端、開放式丸型蛍光灯ケース、ＬＥＤランプセット、及び蛍光灯シェードを少なくとも備え、前記接続端は前記開放式丸型蛍光灯ケースの両端に設置され、前記ＬＥＤランプセット及び前記蛍光灯シェードは共に前記開放式丸型蛍光灯ケースの開口部に結合され、前記蛍光灯シェードは前記ＬＥＤランプセットに覆設されることを特徴とする。
【００１６】
好ましくは、前記開放式丸型蛍光灯ケースは開放式丸型放熱構造に形成され、前記開放式丸型放熱構造の外側壁には放熱用のフィンが設置され、前記接続端は前記開放式丸型放熱構造の両端に設置され、前記ＬＥＤランプセット及び前記蛍光灯シェードは共に前記開放式丸型放熱構造の開口部に結合されることを特徴とする。
【００１７】
好ましくは、前記蛍光灯シェードは少なくとも１つのＰＣＶ蛍光灯シェードであり、前記開放式丸型蛍光灯ケースに結合されて閉環状の蛍光灯本体となることを特徴とする。
【００１８】
好ましくは、前記検知式照明装置が前記検知式シーリングランプ、前記検知式花壇用灯具、前記噴霧用の検知式工作灯、或いは前記加湿可能の検知式工作灯の内の少なくとも何れか一つである場合、前記ランプセットは複数のＬＥＤダイスからなるＬＥＤランプセット、タングステンランプセット、ないしは蛍光灯セットであることを特徴とする。
【００１９】
好ましくは、前記ＬＥＤランプセットは複数のＬＥＤダイスからなるＬＥＤランプセットであり、これら前記ＬＥＤダイスの各ダイスの色温度、明度、或いは彩度は全て完全に同じであるか、少なくとも一部のダイスの色温度、明度、或いは彩度が他の部分のダイスとは異なることを特徴とする。
【００２０】
好ましくは、前記検知素子は受動式赤外線人体検知素子かマイクロ波検知素子であることを特徴とする。
【００２１】
好ましくは、前記電磁波無線通信モジュールは不可視光波長範囲の電磁波無線通信モジュールであり、前記電磁波無線通信モジュールは３１３．３２５ＭＨｚの無線通信モジュール、４３３ＭＨｚの無線通信モジュール、４１８ＭＨｚの無線通信モジュール、２．４ＧＨｚの無線通信モジュール、５．８ＧＨｚの無線通信モジュール、１０ＧＨｚの無線通信モジュール、ブルートゥース無線通信モジュール、Ｗｉ―Ｆｉ無線通信モジュール、近接場型（NFC）の通信無線通信モジュール、Ｚ―Ｗａｖｅ無線通信モジュール、ＺｉｇＢｅｅ無線通信モジュールの内の少なくとも何れか１つであることを特徴とする。
【００２２】
好ましくは、前記検知式照明装置は更に前記照明本体に設置される音楽プレーヤー装置、安全監視装置、音声制御スイッチ及び／或いは光コントロールスイッチを少なくとも備え、前記音楽プレーヤー装置、前記安全監視装置、前記音声制御スイッチ、或いは前記光コントロールスイッチは前記制御回路に電気的に接続されることを特徴とする。
【００２３】
好ましくは、前記検知式照明装置は屋外の検知式照明装置に応用される場合、前記検知式照明装置は更に太陽光電池を少なくとも備え、前記太陽光電池は前記制御回路に電気的に接続されることを特徴とする。
【００２４】
本発明に係る検知式照明群は、少なくとも第一ランプセット、第一検知素子、第一電磁波無線通信モジュール、及び前記第一ランプセット、前記第一検知素子、及び前記第一電磁波無線通信モジュールに電気的に接続される第一制御回路で構成される第一照明装置と、少なくとも第二ランプセット、第二電磁波無線通信モジュール、及び前記第二ランプセット、及び前記第二電磁波無線通信モジュールに電気的に接続される第二制御回路で構成される二照明装置を少なくとも備え、前記第一検知素子の環境検知結果に基づき、前記第一電磁波無線通信モジュールと第二電磁波無線通信モジュールとの間に通信チャンネルを確立させ、前記第一ランプセット及び／或いは前記第二ランプセットの明暗機能を制御させることを特徴とする。
【００２５】
好ましくは、前記第一照明装置は主制御機能を少なくとも有する照明装置であり、前記第二照明装置は被制御機能を少なくとも有する照明装置であり、前記第一照明装置は前記環境検知結果に基づき前記第一ランプセットの明暗機能を能動的に制御させ、前記第二照明装置は前記第一照明装置からの制御命令に応じ前記第二ランプセットの明暗機能を受動的に制御させることを特徴とする。
【００２６】
好ましくは、前記第二照明装置は、前記環境検知結果に基づき前記第一電磁波無線通信モジュールと第二電磁波無線通信モジュールとの間に前記通信チャンネルを確立させて、前記第一ランプセット及び／或いは前記第二ランプセットの明暗機能を制御させる第二検知素子を更に備えることを特徴とする。
【００２７】
好ましくは、前記第一照明装置及び前記第二照明装置は共に主制御機能及び被制御機能を兼ね備える照明装置であり、これら前記照明装置の間では照明制御プロセスに基づく前記第一ランプセット及び／或いは前記第二ランプセットの明暗機能の制御が自動的に実行されることを特徴とする。
【００２８】
好ましくは、前記第一検知素子及び第二検知素子の何れか一つは、受動式赤外線人体検知素子かマイクロ波検知素子の内の何れかであることを特徴とする。
【００２９】
好ましくは、前記第一照明装置及び前記第二照明装置の何れか一つは、検知式ＬＥＤ電球、検知式ＬＥＤ蛍光灯、検知式灯具、検知式工作灯の内の少なくとも何れか一つであり、前記検知式灯具は検知式シーリングランプか検知式花壇用灯具の何れかであり、前記検知式工作灯は噴霧用の検知式工作灯か加湿可能の検知式工作灯の何れかであることを特徴とする。
【００３０】
好ましくは、前記第一電磁波無線通信モジュール及び前記第二電磁波無線通信モジュールの何れか一つは不可視光波長範囲の電磁波無線通信モジュールであり、電磁波無線通信モジュールは３１３．３２５ＭＨｚの無線通信モジュール、４３３ＭＨｚの無線通信モジュール、４１８ＭＨｚの無線通信モジュール、２．４ＧＨｚの無線通信モジュール、５．８ＧＨｚの無線通信モジュール、１０ＧＨｚの無線通信モジュール、ブルートゥース無線通信モジュール、Ｗｉ―Ｆｉ無線通信モジュール、近接場型（ＮＦＣ）の通信無線通信モジュール、Ｚ―Ｗａｖｅ無線通信モジュール、或いはＺｉｇＢｅｅ無線通信モジュールの内の少なくとも何れか一つであることを特徴とする。
【００３１】
好ましくは、前記第一照明装置及び前記第二照明装置の内の少なくとも何れか１つは、前記第一照明装置及び前記第二照明装置の内の少なくとも何れか１つに設置される音楽プレーヤー装置、安全監視装置、光コントロールスイッチ、音声制御スイッチ及び／或いは太陽光電池の内の何れか１つを更に備えることを特徴とする。
【００３２】
本発明に係る検知式照明群体に用いられる制御方法は、少なくとも第一ランプセット、第一検知素子、第一電磁波無線通信モジュール、及び前記第一ランプセット、前記第一検知素子、及び前記第一電磁波無線通信モジュールに電気的に接続される第一制御回路で構成される第一照明装置を提供するステップと、少なくとも第二ランプセット、第二電磁波無線通信モジュール、及び前記第二ランプセット及び前記第二電磁波無線通信モジュールに電気的に接続される第二制御回路で構成される第二照明装置を提供するステップと、前記第一検知素子の環境検知結果に基づき前記第一電磁波無線通信モジュールを駆動させて、前記第二電磁波無線通信モジュールとの間に通信チャンネルを確立させ、前記第一ランプセット及び／或いは前記第二ランプセットの明暗機能を制御させるステップを少なくとも含むことを特徴とする。
【００３３】
好ましくは、前記第一照明装置は主制御機能を少なくとも有する照明装置であり、前記第二照明装置は被制御機能を少なくとも有する照明装置であり、前記第一照明装置は前記環境検知結果に基づき前記第一ランプセットの明暗機能を能動的に制御させ、前記第二照明装置は前記第一照明装置からの制御命令に応じ前記第二ランプセットの明暗機能を能動的に制御させることを特徴とする。
【００３４】
好ましくは、前記第二照明装置は、前記環境検知結果に基き前記第一電磁波無線通信モジュールと第二電磁波無線通信モジュールとの間に前記通信チャンネルを確立させて前記第一ランプセット及び／或いは前記第二ランプセットの明暗機能を制御させる第二検知素子を更に備えることを特徴とする。
【００３５】
好ましくは、前記第一照明装置及び前記第二照明装置は共に主制御機能及び被制御機能を兼ね備える照明装置であり、これら前記照明装置の間では照明制御プロセスに基づく前記第一ランプセット及び／或いは前記第二ランプセットの明暗機能の制御が自動的に実行されることを特徴とする。
【００３６】
好ましくは、前記第一検知素子及び第二検知素子の内の何れか一つは、受動式赤外線人体検知素子かマイクロ波検知素子の何れかであることを特徴とする。
【００３７】
好ましくは、前記第一照明装置及び前記第二照明装置の何れか一つは、検知式ＬＥＤ電球、検知式ＬＥＤ蛍光灯、検知式灯具、検知式工作灯の内の少なくとも何れか一つであり、前記検知式灯具は少なくとも検知式シーリングランプか検知式花壇用灯具の内の何れかであり、前記検知式工作灯は少なくとも噴霧用の検知式工作灯か加湿可能の検知式工作灯の何れかであることを特徴とする。
【００３８】
好ましくは、前記第一電磁波無線通信モジュール及び前記第二電磁波無線通信モジュールの何れか一つは不可視光波長範囲の電磁波無線通信モジュールであり、前記電磁波無線通信モジュールの内の何れか１つは３１３．３２５ＭＨｚの無線通信モジュール、４３３ＭＨｚの無線通信モジュール、４１８ＭＨｚの無線通信モジュール、２．４ＧＨｚの無線通信モジュール、５．８ＧＨｚの無線通信モジュール、１０ＧＨｚの無線通信モジュール、ブルートゥース無線通信モジュール、Ｗｉ―Ｆｉ無線通信モジュール、近接場型(ＮＦＣ)の通信無線通信モジュール、Ｚ―Ｗａｖｅ無線通信モジュール、ＺｉｇＢｅｅ無線通信モジュールの内の少なくとも何れか一つであることを特徴とする。
【００３９】
好ましくは、前記第一照明装置及び前記第二照明装置の内の何れか１つは、前記第一照明装置及び前記第二照明装置の内の何れか１つに設置される音楽プレーヤー装置、安全監視装置、光コントロールスイッチ、音声制御スイッチ及び／或いは太陽光電池の何れか１つを更に備えることを特徴とする。
【発明の効果】
【００４０】
本発明に係る検知式照明装置の設計及び群体制御により、検知式照明装置の初期設置費用が高く大量採用が難しい問題を解決し、他の検知式照明装置と組み合わせる際にも照明同士が互いに干渉したり相性が悪い等の問題を起こさない。当然ながら、本発明は同一の空間内に設置される複数の検知式照明装置の照明を精密にバランスよく制御させるほか、検知式照明装置に検知式照明機能以外の機能を付加させ、電磁波無線通信機能に結合させる他の制御機能（例えば、音楽プレーヤーや安全監視や音声制御等）を付加させる場合にも、本発明ならば容易に低コストで群体式制御により実現可能となる。
【図面の簡単な説明】
【００４１】
【図１】本発明に係る検知式照明装置の一実施形態としてのマイクロ波検知式のＬＥＤ電球が、マイクロ波検知素子と電磁波無線通信モジュールとを具備する態様を示す傾斜構造の概略図である。
【図２】図１に示したマイクロ波検知式ＬＥＤ電球のＬＥＤ電球群を電球ケースに組み合わせる傾斜構造の概略図である。
【図３】図１に示したマイクロ波検知式ＬＥＤ電球の電球ケース構造の概略図である。
【図４】他の角度から図１に示したマイクロ波検知式ＬＥＤ電球の電球ケース構造を見た時の概略図である。
【図５】図１に示したマイクロ波検知式ＬＥＤ電球の制御回路の概略傾斜図である。
【図６】図１に示したマイクロ波検知式ＬＥＤ電球のマイクロ波検知素子の一部回路を示す概略傾斜図である。
【図７】本発明に係る検知式照明装置の一実施形態としてのＰＩＲ検知式ＬＥＤ電球が、ＰＩＲ検知素子と電磁波無線通信モジュールとを具備する態様を示す概略傾斜図である。
【図８】本発明に係る検知式照明装置の一実施形態としてのマイクロ波検知式ＬＥＤ蛍光灯が、マイクロ波検知素子と電磁波無線通信モジュールとを具備する態様を示す概略傾斜図である。
【図９】本発明に係る検知式照明装置の一実施形態としてのＰＩＲ検知式ＬＥＤ電球が、ＰＩＲ検知素子と電磁波無線通信モジュールとを具備する態様を示す概略傾斜図である。
【図１０】本発明に係る検知式照明装置の一実施形態としてのマイクロ波検知式シーリングランプが、マイクロ波検知素子と電磁波無線通信モジュールとを具備する態様を示す概略傾斜図である。
【図１１】本発明に係る検知式照明装置の一実施形態としてのマイクロ波検知式工作灯が、マイクロ波検知素子と電磁波無線通信モジュールとを具備する態様を示す概略傾斜図である。
【図１２】本発明に係る検知式照明装置の一実施形態としてのマイクロ波検知式花壇用灯具が、マイクロ波検知素子と電磁波無線通信モジュールとを具備する態様を示す概略傾斜図である。
【図１３】本発明に係る検知式照明装置を用いた検知式照明群体による第一の好ましい群体制御の概略実施図である。
【図１４】本発明の第一の好ましい照明群体の制御方法を示す実施工程の流れ図である。
【図１５】本発明に係る検知式照明装置を用いた検知式照明群体による第二の好ましい群体制御の概略実施図である。
【図１６】本発明の第二の好ましい照明群体の制御方法を示す実施工程の流れ図である。
【図１７】図１３と図１５に示した制御方法を一体化する第三の好ましい群体制御の概略実施図である。
【発明を実施するための形態】
【００４２】
以下に図面を参照して本発明を実施するための形態について、詳細に説明する。なお、本発明は、以下に説明する実施形態に限定されるものではない。また、より高い自動照明制御を達成させ、使用と制御においてより多様な応用を可能にするため、本発明に係る検知式照明装置には無線通信の受信／発信モジュールを増設させて、検知式照明装置或いは検知式照明群体の無線制御機能を強化させる。
【００４３】
本発明における好適な実施の形態に用いられる通信モジュールは、不可視光波長範囲の電磁波無線通信モジュールであり、前記電磁波無線通信モジュールは３１３．３２５ＭＨｚの無線通信モジュール、４３３ＭＨｚの無線通信モジュール、４１８ＭＨｚの無線通信モジュール、２．４ＧＨｚの無線通信モジュール、５．８ＧＨｚの無線通信モジュール、１０ＧＨｚの無線通信モジュール、ブルートゥース無線通信モジュール、Ｗｉ―Ｆｉ無線通信モジュール、近接場型の（ＮＦＣ）無線通信モジュール、Ｚ―Ｗａｖｅ無線通信モジュール、或いはＺｉｇＢｅｅ無線通信モジュールの内の少なくとも何れか一つであるが、これらに制限されない。
【００４４】
さらに、本発明の検知式照明装置に用いられる検知素子は、受動式赤外線人感センサ−（ＰＩＲ）ないしはマイクロ波（Ｍｉｃｒｏｗａｖｅ）検知素子であるが、これらに限られず、例えば特殊な光波を用いた検知装置により人の動きや物体の移動を検知させ照明を制御させてもよい。
【００４５】
また、本発明の検知式照明装置が電球或いは蛍光灯である場合、ランプセットは複数のＬＥＤダイスを備えるＬＥＤランプセットであり、これら前記ＬＥＤダイス中の各ダイスの色温度、明度、或いは彩度は皆完全に同じであるか、または少なくとも一部のダイスの色温度、明度、或いは彩度が他の部分のダイスとは異なる。電球や蛍光灯に使用される検知素子は、電球或いは蛍光灯の照明本体に直接結合され（後述を参照）、分離して設置されない。
【００４６】
また、本発明に係る検知式照明装置が検知式灯具か検知式工作灯の何れかである場合、前記検知式灯は少なくとも１つの検知式シーリングランプか検知式花壇用灯具かを有し、前記検知式工作灯は少なくとも１つの噴霧用の検知式工作灯ないしは加湿可能の検知式工作灯であるが、本発明に係る照明装置はこれらに制限されない。
【００４７】
前記検知式灯具ないしは前記検知式工作灯に使用されるランプセットは、複数のＬＥＤダイスを備えるＬＥＤランプセットであるか、タングステンランプセットないしは蛍光灯セットの何れかである。前記ＬＥＤランプセットが複数のＬＥＤダイスを備えるＬＥＤランプセットである場合、これら前記ＬＥＤダイス中の各ダイスの色温度、明度、或いは彩度は皆完全に同じであるか、或いは少なくとも一部のダイスの色温度、明度、或いは彩度が他の部分のダイスとは異なる。
【００４８】
そして、前記検知式灯具或いは前記検知式工作灯に使用される検知素子は、受動式赤外線人感センサ−（ＰＩＲ）かマイクロ波（Ｍｉｃｒｏｗａｖｅ）検知素子等であり、前記検知式灯具ないしは前記検知式工作灯の電球や蛍光灯の照明本体に直接設置されて結合され、または使用される検知素子はその中に設置されて光源を提供する電球や蛍光灯とは分離されて設置されるが、前記検知式灯具や前記検知式工作灯の照明本体とは結合される。
【００４９】
なお、本発明に係る検知式照明装置は更に、検知式照明装置の照明本体に設置される音楽プレーヤー装置、安全監視装置、音声制御スイッチ及び／或いは光コントロールスイッチを少なくとも備える。前記音楽プレーヤー装置、前記安全監視装置、或いは前記光コントロールスイッチは、制御回路に電気的に接続される。
【００５０】
例えば、本発明に係る検知式照明装置に結合される前記音楽プレーヤー装置は、自動音楽プレーヤー機能を備えたプレーヤーであり、或いは前記電磁波無線通信モジュールに結合されて、ユーザーが操作する携帯電子装置（例えば、ｉｐｈｏｎｅやｉＰａｄ）や他の音楽プレーヤーからの音声信号を受信して音楽プレーヤーを同調させる。ＬＥＤランプセット中の一部のダイスの彩度と他の部分ダイスの彩度とが異なる場合、音楽のリズムに合わせて制御させて照明の光線に変化をつける。
【００５１】
また、前記安全監視装置について説明すると、例えば、本発明に係る検知式照明装置は、録画監視装置と前記電磁波無線通信モジュールとを結合させて、監視映像から結果を判断させ、制御命令を発信させて特定の領域に広範囲の強力な照明を照射させる。
【００５２】
さらに、本発明に係る検知式照明装置に前記光コントロールスイッチ及び電磁波無線通信モジュールを組み合わせ、照明空間内の各サブ領域の明暗を調節させて、バランスと精度を上げる。
【００５３】
また、本発明に係る検知式照明装置に音声制御スイッチ及び前記電磁波無線通信モジュールを組み合わせ、前記音声制御スイッチの音声制御検知結果に基づき制御命令を発信させて照明や他の機能を無線通信により制御させる。
【００５４】
本発明に係る検知式照明装置が屋外の検知式照明装置に応用される場合、前記検知式照明装置は、更に前記制御回路に電気的に接続される太陽光電池を少なくとも備えて予備電源とする。
【００５５】
以下に図面を参照して本発明における各種タイプの検知式照明装について、詳細に説明する。
【００５６】
図１は本発明に係る検知式照明装置の一実施形態としてのマイクロ波検知式のＬＥＤ電球が、マイクロ波検知素子及び電磁波無線通信モジュールを有する態様の傾斜構造の概略図であり、図２は図１に示すマイクロ波検知式ＬＥＤ電球のＬＥＤランプセットを電球ケースに結合させた傾斜構造の概略図であり、図３は図１に示すマイクロ波検知式ＬＥＤ電球の電球ケースの傾斜構造の概略図であり、図４は図１に示すマイクロ波検知式ＬＥＤ電球の電球ケースの他の角度から見た傾斜構造の概略図であり、図５は図１に示すマイクロ波検知式ＬＥＤ電球の制御回路の傾斜構造の概略図であり、図６は図１に示すマイクロ波検知式ＬＥＤ電球のマイクロ波検知素子の一部回路を示す傾斜構造の概略図である。
【００５７】
マイクロ波検知式ＬＥＤ電球１は、照明本体として用いられる電球本体１１、マイクロ波検知素子１２、及び電磁波無線通信モジュール１３を備える。前記電球本体１１は、制御回路１１１及び前記制御回路１１１に電気的に接続されるＬＥＤランプセット１１２を少なくとも含む。前記マイクロ波検知素子１２は前記照明本体１１に設置され、前記マイクロ波検知素子１２は前記制御回路１１１に電気的に接続される。また、前記電磁波無線通信モジュール１３は前記電球本体１１に設置され、前記電磁波無線通信モジュール１３は前記制御回路１１１に電気的に接続される。これにより、前記マイクロ波検知式ＬＥＤ電球１は、前記電磁波無線通信モジュール１３により他の照明装置（検知式及び非検知式の照明装置）との間において群体ごとの照明の制御を可能とし、或いは無線通信により他の付加機能を制御可能に実行する。
【００５８】
また、前記電球本体１１は、更に口金部１１３、電球ケース１１４、及びランプシェード１１５を少なくとも備える。前記口金部１１３は、前記電球ケース１１４の一端１１４１に設置され、前記ＬＥＤランプセット１１２及び前記ランプシェード１１５は共に前記電球ケース１１４の前記一端１１４１に対応する他端１１４２に設置され、前記ランプシェード１１５は前記ＬＥＤランプセット１１２に覆設される。
【００５９】
前記電球ケース１１４は放熱構造であり、当該放熱構造１１４の内部には前記端部１１４１及び前記他端１１４２を貫通させる装設用の貫通孔１１４０が開設され、前記制御回路１１１の少なくとも一部の部材を納置させ、前記放熱構造１１４の外側壁には放熱用のフィン１１４３が設置される。好ましくは、前記放熱構造１１４はアルミ合金か他の金属の合金製の放熱構造であり、放熱能力を有する他の材料（例えば、多孔質セラミック）により放熱構造を形成させてもよい。装設用の貫通孔１１４０及び／或いは放熱用のフィン１１４３により、前記ＬＥＤランプセット１１２が発生させる熱源を迅速に放散させる。
【００６０】
前記ランプシェード１１５は立方形シェード、円柱形シェード、或いは球形シェードの何れか一つの形状であるが、これに限定されるものではない。図６から分かるように、前記マイクロ波検知素子１２の具体的な実施形態では、前記マイクロ波検知素子１２はマイクロ波受信回路の受信／発射用アンテナ１２１０を有するマイクロ波受信回路１２１を有する。一般的なマイクロ波に習熟する技術者にとっては、マイクロ波に前記ランプシェード１１５を通過させて移動体を検知することは極簡単である。
【００６１】
当然ながら、前記マイクロ波検知式ＬＥＤライト１は、付加的な電子装置１４を更に備え、これは音楽プレーヤー装置、安全監視装置、音声制御スイッチ及び／或いは光コントロールスイッチ等である。
【００６２】
図７は、本発明に係る検知式照明装置の一実施形態としてのＰＩＲ検知式ＬＥＤ電球が、ＰＩＲ検知素子及び電磁波無線通信モジュールを有する態様の傾斜構造の概略図である。前記ＰＩＲ検知式ＬＥＤ電球２は、電球本体２１、ＰＩＲ検知素子２２、及び電磁波無線通信モジュール２３を備える。前記電球本体２１は口金部２１３、電球ケース２１４、及びランプシェード２１５を少なくとも備える。前記電球本体２１は、図１に示す制御回路１１１のような制御回路（図示せず）を更に含み、但しここではＰＩＲ検知素子２２に電気的に接続され、検知部分の制御回路の細部の設計は図１の制御回路１１１とは異なるが、本分野に習熟する者にとってはよく知られたものであるため詳述は省く。
【００６３】
前記電球本体２１は、ＬＥＤランプセット（図示せず）、前記口金部２１３、前記電球ケース２１４、及び前記電磁波無線通信モジュール２３を備え、図１中の対応構成と同じ機能を有する部材や構造であるため、再述はしない。
【００６４】
このほか、前記ランプシェード２１５と図１に示すランプシェード１１５との差異は、前記ＰＩＲ検知素子２２が検知する際に前記ランプシェード２１５に遮断されないように、前記ＰＩＲ検知素子２２は前記ランプシェード２１５から突出されるように設計される。
【００６５】
前記ＰＩＲ検知式ＬＥＤ電球２は、音楽プレーヤー装置、安全監視装置、音声制御スイッチ及び／或いは光コントロールスイッチ等の付加的な電子装置２４を更に備える。
【００６６】
図８は、本発明に係る検知式照明装置の一実施形態としてのマイクロ波検知式ＬＥＤ蛍光灯が、マイクロ波検知素子及び電磁波無線通信モジュールを有する態様の傾斜構造の概略図である。前記マイクロ波検知式ＬＥＤ蛍光灯３は、照明本体として用いられる蛍光灯本体３１、マイクロ波検知素子３２、及び電磁波無線通信モジュール３３を備える。前記蛍光灯本体３１は、２個の接続端３１３、蛍光灯ケース３１４、及び蛍光灯シェード３１５を少なくとも備える。前記蛍光灯本体３１は、図１に示す制御回路１１１のような制御回路（図示せず）を更に含む。
【００６７】
前記蛍光灯本体３１は、棒状ＬＥＤランプセット（図示せず）、前記２個の接続端３１３、及び前記電磁波無線通信モジュール３３を備え、これらは皆図１に示すものと同じ機能を有する部材や構造であるため再述しない。
【００６８】
なお、本発明の実施形態に係る前記ＬＥＤ蛍光灯３１４は、開放式丸型蛍光灯ケース（或いは開放式丸型放熱構造）であり、前記開放式丸型放熱構造３１４の外側壁には放熱用のフィン３１４３が設置され、前記２個の接続端３１３は前記開放式丸型放熱構造３１４の両端に設置され、前記棒状ＬＥＤランプセット及び前記蛍光灯シェード３１５は共に前記開放式丸型放熱構造３１４の開口部に結合されると共に前記開放式丸型放熱構造３１４に結合されて閉環状の蛍光灯本体となる。前記蛍光灯シェード３１５は、ＰＣＶ蛍光灯シェードであるが、これに限定されない。
【００６９】
好ましくは、前記ＬＥＤ蛍光灯のケース３１４は、開放式丸型蛍光灯のケースであり、円形や近円形や楕円形や他の特殊な円弧状の開放式丸型蛍光灯ケースに限定されるわけではない。また、他の開放式丸型の１／２か３／４等の部分的な円形状の蛍光灯ケースに限定されるものでもない。
【００７０】
前記マイクロ波検知式ＬＥＤ蛍光灯３は、音楽プレーヤー装置、安全監視装置、音声制御スイッチ及び／或いは光コントロールスイッチ等の付加的な電子装置３４を更に備える。
【００７１】
図９は本発明に係る検知式照明装置の一実施形態としてのＰＩＲ検知式ＬＥＤ電球が、ＰＩＲ検知素子及び電磁波無線通信モジュールを有する態様の傾斜構造概略図である。前記ＰＩＲ検知式ＬＥＤ電球４は、照明本体として用いられる蛍光灯本体４１、ＰＩＲ検知素子４２、及び電磁波無線通信モジュール４３を備える。前記蛍光灯本体４１は、２個の接続端４１３、蛍光灯ケース４１４、及び蛍光灯シェード４１５を少なくとも備える。
【００７２】
前記ＰＩＲ検知素子４２及び前記蛍光灯本体４１は、制御回路（図示せず）を更に備え、これは図７に示す前記ＰＩＲ検知素子２２及び制御回路に類似するため詳述は省く。
【００７３】
また、前記蛍光灯本体４１は、棒状ＬＥＤランプセット（図示せず）、前記２個の接続端４１３、前記蛍光灯ケース４１４、前記蛍光灯シェード４１５、及び前記電磁波無線通信モジュール４３を更に備え、図８に示したものと同じ機能を有する部材や構造であるため再述しない。
【００７４】
前記ＰＩＲ検知式ＬＥＤ電球４は、音楽プレーヤー装置、安全監視装置、音声制御スイッチ及び／或いは光コントロールスイッチ等の付加的な電子装置４４を更に備える。
【００７５】
図１０は、本発明に係る検知式照明装置の一実施形態としてのマイクロ波検知式シーリングランプが、マイクロ波検知素子及び電磁波無線通信モジュールを有する態様の傾斜構造の概略図である。前記マイクロ波検知式シーリングランプ５は、照明本体として用いられるシーリングランプ本体５１、マイクロ波検知素子５２、及び電磁波無線通信モジュール５３を備える。シーリングランプ本体５１は、制御回路（図示せず）及び環形ＬＥＤランプセット５１２を少なくとも含み、前記マイクロ波検知素子５２はシーリングランプ本体５１内に装設される。
【００７６】
さらに、前記マイクロ波検知式シーリングランプ５は、音楽プレーヤー装置、安全監視装置、音声制御スイッチ及び／或いは光コントロールスイッチ等の付加的な電子装置５４を更に備える。
【００７７】
図１１は、本発明に係る検知式照明装置の一実施形態としてのマイクロ波検知式工作灯が、マイクロ波検知素子及び電磁波無線通信モジュールを有する態様の傾斜構造の概略図である。前記マイクロ波検知式工作灯６（噴霧式や加湿式マイクロ波検知式工作灯等）は、照明本体として用いられる工作灯本体６１、マイクロ波検知素子６２、及び電磁波無線通信モジュール６３を備える。工作灯本体６１は工作ランプシェード６１５、回転可能なホック６１６、制御回路（図示せず）、及びＬＥＤランプセット（図示せず）を少なくとも含み、前記マイクロ波検知素子６２は工作灯本体６１内に装設される。
【００７８】
前記マイクロ波検知式工作灯６は、音楽プレーヤー装置、安全監視装置、音声制御スイッチ及び／或いは光コントロールスイッチ等の付加的な電子装置６４を更に備える。
【００７９】
図１２は、本発明に係る検知式照明装置の一実施形態としてのマイクロ波検知式花壇用灯具が、マイクロ波検知素子及び電磁波無線通信モジュールを有する態様の傾斜構造の概略図である。前記マイクロ波検知式花壇用灯具７は、照明本体として用いられる花壇用灯具本体７１、マイクロ波検知素子７２、及び電磁波無線通信モジュール７３を備える。花壇用灯具本体７１は、制御回路（図示せず）及びＬＥＤランプセット（図示せず）を少なくとも含み、前記マイクロ波検知素子７２は花壇用灯具本体７１内に装設される。
【００８０】
前記マイクロ波検知式花壇用灯具７は、音楽プレーヤー装置、安全監視装置、音声制御スイッチ及び／或いは太陽光電池等の付加的な電子装置７４を更に備える。
【００８１】
以下では、本発明に係る上述の各種検知式照明装置について説明し、照明群体に対し実施される具体的な制御方法について述べる。
【００８２】
図１３は、本発明に係る検知式照明装置からなる検知式照明群体の好ましい第１の群体制御の実施概念の概略図である。空間８内には５個の照明装置８１〜８５があり、照明装置８１は、検知素子及び電磁波無線通信モジュールを有する検知式照明装置であると共に、前記照明装置８１は、主制御機能を少なくとも有する検知式照明装置である。
【００８３】
これら前記照明装置８２乃至８５は、電磁波無線通信モジュールを有する非検知式照明装置（即ち、普通の照明装置）であり、これら前記非検知式の被制御機能のみを有する。照明装置８２乃至８５の内の何れか１つの照明装置は、被制御機能のみを有する照明装置であり、受動的に無線照明に制御されるのみで能動的に制御命令（例えば、照明制御命令）を他の照明装置に発信することはない。
【００８４】
このような形態では、前記検知式の照明装置８１は、環境の検知結果に基づいて能動的に本体のランプセットの明暗機能を制御し、電磁波無線通信方式により同調して照明制御命令Ｃ１を発信させる。前記照明装置８２乃至８５では、前記照明制御命令Ｃ１に受動的に反応して各ランプセットの明暗機能が制御される。
【００８５】
上述の方法による長所は、同一の空間中に１個の高コストの検知式照明装置を装設させるのみで、他の照明装置は低コストの一般的な部材でよく、全ての空間の照明バランスの制御を効果的に行える。このため、これらの方法では配置される照明装置の初期設置費用を大幅に減らせる。
【００８６】
当然ながら、上述の照明制御命令Ｃ１は一例に過ぎず、上述の他の付加機能を実行させる制御命令でもよい。
【００８７】
また、上述の群体照明の制御の好ましい第１実施方法に関し、図１４の好ましい群体制御の実施ステップを以下で説明する。
【００８８】
Ｓ１１：スタート。  
【００８９】
Ｓ１２：第一ランプセット、第一検知素子、第一電磁波無線通信モジュール、及び前記第一ランプセット、前記第一検知素子、及び前記第一電磁波無線通信モジュールに電気的に接続される第一制御回路を少なくとも備える第一照明装置を提供する。  
【００９０】
Ｓ１３：第二ランプセット、第二電磁波無線通信モジュール、及び前記第二ランプセット及び前記第二電磁波無線通信モジュールに電気的に接続される第二制御回路を少なくとも備える第二照明装置を提供する。  
【００９１】
Ｓ１４：前記第一検知素子の環境検知結果に基づき、前記第一電磁波無線通信モジュールを駆動させて前記第二電磁波無線通信モジュールとの間に通信チャンネルを確立させ、前記第一ランプセット及び／或いは前記第二ランプセットの明暗機能を制御させる。  
【００９２】
Ｓ１５：終了。
【００９３】
図１５は、本発明に係る検知式照明装置により組成される検知式照明群体の好ましい第２群体制御の実施概念の概略図である。空間９内には５個の照明装置９１乃至９５を有し、これら前記検知式の照明装置９１乃至９５は、全て検知素子及び電磁波無線通信モジュールを有する検知式照明装置であり、これら前記検知式照明装置９１乃至９５は全て主制御機能／被制御機能を有する検知式照明装置である。
【００９４】
上述した通り、これら前記検知式の照明装置９１乃至９５は、検知されたサブ領域内の明暗変化に基づき電磁波無線通信方式で照明制御命令Ｃ２を他の照明装置に発信或いは伝送させ、これら前記検知式の照明装置９１乃至９５は照明制御プロセスに基づいて互いに協調しながらより精度の高い照明バランスを提供する。
【００９５】
当然ながら、前記照明制御命令Ｃ２は一例に過ぎず、上述の他の付加機能を実行させる制御命令でもよい。
【００９６】
さらに、上述の群体照明の制御の好ましい第２実施方法について、図１６の好ましい群体制御の実施ステップを以下で説明する。  
【００９７】
Ｓ２１：スタート。  
【００９８】
Ｓ２２：第一ランプセット、第一検知素子、第一電磁波無線通信モジュール、及び前記第一ランプセット、前記第一検知素子、及び前記第一電磁波無線通信モジュールに電気的に接続される第一制御回路を少なくとも備える第一照明装置を提供する。  
【００９９】
Ｓ２３：第二ランプセット、第二検知素子、第二電磁波無線通信モジュール、及び前記第二ランプセット及び前記第二電磁波無線通信モジュールに電気的に接続される第二制御回路を少なくとも備える第二照明装置を提供する。  
【０１００】
Ｓ２４：前記第一検知素子及び／或いは前記第二検知素子の環境検知結果に基き前記第一電磁波無線通信モジュールを駆動させ、前記第二電磁波無線通信モジュールとの間に通信チャンネルを確立させ、照明制御プロセスを自動的に実行させて前記第一ランプセット及び／或いは前記第二ランプセットの明暗機能を制御させる。  
【０１０１】
Ｓ２５：終了。
【０１０２】
好ましくは、異なる空間や領域間の群体制御は、検知式照明装置に装設される電磁波無線通信モジュールにより実行される。例えば、図１７は、図１３及び図１５に図示した好ましい群体制御方式を結合させて一体とした好ましい第３群体制御の実施概念の概略図である。前記検知式の照明装置８１は、照明制御命令Ｃ３及び他の照明制御プロセスによりこれら前記照明装置９１乃至９５と通信し協調して機能を実行させる。
【０１０３】
上述した通りに、本発明の設計及び群体制御により、検知式照明装置の初期設置費用が高く大量に採用出来なかった問題を容易に解決させ、他の検知式照明装置と組み合わせても互いの照明同士が干渉し合わず協調し合う。当然ながら、同一の空間内に設置される複数の検知式照明装置間の照明をより精密に制御しバランスをとりたい場合でも、本発明を用いればこれも容易に達成できる。さらには、従来の検知式照明装置に検知式照明機能以外に、電磁波無線通信機能を有する他の付加制御機能（例えば、音楽プレーヤーや安全監視や音声制御等）を結合させたい場合も、本発明を用いれば低コストで群体式制御により実現できる。故に、本発明は高い産業的価値を有すると言える。
【０１０４】
以上、本発明の実施形態について図面を参照して詳述したが、具体的な構成はこの実施形態に限られるものではなく、本発明の要旨を逸脱しない範囲の設計変更等も含まれる。
【符号の説明】
【０１０５】
１     マイクロ波検知式ＬＥＤ電球、
２     ＰＩＲ検知式ＬＥＤ電球、
３     マイクロ波検知式ＬＥＤ電球、
４     ＰＩＲ検知式ＬＥＤ電球、
５     マイクロ波検知式シーリングランプ、
６     マイクロ波検知式工作灯、
７     花壇用灯具、
１１   電球本体、
２１   電球本体、
３１   蛍光灯本体、
４１   蛍光灯本体、
５１   シーリングランプ本体、
６１   工作灯本体、
７１   花壇用灯具本体、
１１１ 制御回路、
１１２ ＬＥＤランプセット、
５１２ ＬＥＤランプセット、
１１３ 口金部、
２１３ 口金部、
３１３ 接続端、
４１３ 接続端、
１１４ 電球ケース（放熱構造）、
２１４ 電球ケース（放熱構造）、
３１４ 蛍光灯ケース（放熱構造）、
４１４ 蛍光灯ケース（放熱構造）、
１１４０      装設用の貫通孔、
１１４１      電球ケース（放熱構造）の一端、
１１４２      電球ケース（放熱構造）の他端、
１１４３      放熱用のフィン、
３１４３      放熱用のフィン、
４１４３      放熱用のフィン、
１１５ ランプシェード、
２１５ ランプシェード、
３１５ 蛍光灯シェード、
４１５ 蛍光灯シェード、
６１５ 工作用ランプシェード、
６１６ 回転可能なホック、
１２   マイクロ波検知素子、
３２   マイクロ波検知素子、
５２   マイクロ波検知素子、
６２   マイクロ波検知素子、
７２   マイクロ波検知素子、
２２   ＰＩＲ検知素子、
４２   ＰＩＲ検知素子、
１２１ マイクロ波受信回路、
１２１０      マイクロ波受信回路の受信／発射用アンテナ、
１３   電磁波無線通信モジュール、
２３   電磁波無線通信モジュール、
３３   電磁波無線通信モジュール、
４３   電磁波無線通信モジュール、
５３   電磁波無線通信モジュール、
６３   電磁波無線通信モジュール、
７３   電磁波無線通信モジュール、
１４   付加的な電子装置、
２４   付加的な電子装置、
３４   付加的な電子装置、
４４   付加的な電子装置、
５４   付加的な電子装置、
６４   付加的な電子装置、
７４   付加的な電子装置、
８     空間、
９     空間、
８１   検知式の制御／被制御機能を有する照明装置、
９１   検知式の制御／被制御機能を有する照明装置、
９２   検知式の制御／被制御機能を有する照明装置、
９３   検知式の制御／被制御機能を有する照明装置、
９４   検知式の制御／被制御機能を有する照明装置、
９５   検知式の制御／被制御機能を有する照明装置、
８２   非検知式の被制御機能のみを有する照明装置、
８３   非検知式の被制御機能のみを有する照明装置、
８４   非検知式の被制御機能のみを有する照明装置、
８５   非検知式の被制御機能のみを有する照明装置、
Ｃ１   照明制御命令、
Ｃ２   照明制御命令、
Ｃ３   照明制御命令。
【図１】
2014505977.tif 000003
【図２】
2014505977.tif 000004
【図３】
2014505977.tif 000005
【図４】
2014505977.tif 000006
【図５】
2014505977.tif 000007
【図６】
2014505977.tif 000008
【図７】
2014505977.tif 000009
【図８】
2014505977.tif 000010
【図９】
2014505977.tif 000011
【図１０】
2014505977.tif 000012
【図１１】
2014505977.tif 000013
【図１２】
2014505977.tif 000014
【図１３】
2014505977.tif 000015
【図１４】
2014505977.tif 000016
【図１５】
2014505977.tif 000017
【図１６】
2014505977.tif 000018
【図１７】
2014505977.tif 000019
【国際調査報告】
2014505977.tif 000020
2014505977.tif 000021
2014505977.tif 000022
2014505977.tif 000023
2014505977.tif 000024
2014505977.tif 000025
2014505977.tif 000026
2014505977.tif 000027
2014505977.tif 000028
2014505977.tif 000029
2014505977.tif 000030